(57)【要約】本発明は、誘導形の構造エレメントであって、射出成形ケーシング（２）内に配置されたコイル（３）と、同様にケーシング（２）内に取り付けられた複数の電流レール（４）とを備え、該電流レール（４）に、接続線材（７）として、それぞれのコイル線材の端部がコンタクトされている形式のものに関する。コイル（３）と各電流レール（４）との間の接続線材（７）が、該接続線材（７）の間におよび／または外方に位置するシート（８）と共に、巻線および撚り線加工から成るそれぞれ１つの結束体を形成している。ケーシングの射出成形物質は、前記結束体上に直接に塗布することが可能である。有利には、結束体が、接続線材（７）の案内する方向に配置された少なくとも２つの巻線から成っており、該巻線は重なり合って撚られている。
2004518975.tif 000002
【特許請求の範囲】
【請求項１】
誘導形の構造エレメントであって、
−  射出成形ケーシング（２）内に配置されたコイル（３）と、同様にケーシング（２）内に取り付けられた複数の電流レール（４）とを備え、該電流レール（４）に、接続線材（７）として、それぞれコイル線材の端部がコンタクトされている形式のものにおいて、
−  コイル（３）と各電流レール（４）との間の接続線材（７）が、該接続線材（７）の間におよび／または外方に位置するシート（８）と共に、巻線および撚り線加工から成るそれぞれ１つの結束体を形成しており、かつ、
−  ケーシング（２）の射出成形物質が、前記結束体上に直接に塗布可能であることを特徴とする、誘導形の構造エレメント。
【請求項２】
結束体が、接続線材（７）の案内する方向に配置された少なくとも２つの巻線から成っており、該巻線が重なり合って撚られている、請求項１記載の誘導形の構造エレメント。
【請求項３】
シート（８）がポリテトラフルオロエチレン（ＰＴＦＥ）またはポリイミド（ＰＩ）から製作されている、請求項１又は２記載の誘導形の構造エレメント。
【請求項４】
―  誘導形の構造エレメントが誘導形のセンサであり、このセンサにおいては、コイル（３）が磁心に取り付けられており、磁心である１つの極ピンにおける、外側を通過して動く金属部分による磁界変化が検出可能であり、かつ、
−  電流レール（４）により、コイル（３）からの電気信号が、構造エレメントのケーシング（２）内に設けられた接触装置（５）の接続部に導かれ得る、請求項１から３までのいずれか１項に記載の誘導形の構造エレメント。
【請求項５】
請求項１から４までのいずれか１項記載の誘導形の構造エレメントを製作する方法において、
−  コイル（３）の接続線材（７）を、結束体の巻線を製作するために、心棒（９，１０）に巻き付け、
−  少なくとも、２つの巻線の間にシート（８）を入れ、かつ、
−  次いで、接続線材（７）の巻線を、シート（８）を巻き込みながら、撚ることを特徴とする、請求項１から４までのいずれか１項記載の誘導形の構造エレメントを製作する方法。
【発明の詳細な説明】
【０００１】
従来技術
本発明は、請求項１及び方法請求項の上位概念部に記載した、誘導形の構造エレメント、特に誘導形のセンサに関する。
【０００２】
欧州特許第０６３２８９７号明細書により公知の誘導形の回転数センサの場合、電気的なコイルは、例えばコイル心の極ピンの領域における回転している部分により生ぜしめられる磁界変化が検出可能であるように、ケーシング内に配置されており、これにより、回転数センサを構成することができる。この回転数センサの、ここで関連のある領域は、電流レールと、コイルの接続線材と、コイル自体とから成っている。その際、この領域を被覆するために、射出成形物質を、コイルの巻線の端部が接続されている電流レールの領域に直接に射出塗布することが普通である。
【０００３】
射出成形物質と一般に銅より成る接続線材との間の種々異なる膨張係数に基づいて、これら双方の材料の間で、温度変化の際に、相対運動が行われる可能性がある。これにより、温度変化の際に、コイル線材は常に機械的な交番負荷（Ｗｅｃｈｓｅｌｂｅｌａｓｔｕｎｇ）にさらされるので、極端な場合は、ここで、電流レールとコイルとの間の領域もしくはコイル・線材・電流レール装置に、疲労破壊が生じることがあり、このことは誘導形の構造エレメントの完全な故障に至らしめ得る。冒頭で述べた公知の装置においては、付加的に、例えば弾性的なゲルを接続線材の領域内に設けた後で、ゲルが射出成形物質により押し除かれないように、ゲルはシートで巻かれる。
【０００４】
発明の利点
冒頭で述べた形式の誘導形の構造エレメントにおいて、本発明により、コイルと各電流レールとの間に設けられた接続線材が、有利な形式では、接続線材の間におよび／または外方に位置するシートと共に、巻線および撚り線加工から成るそれぞれ１つの結束体を形成しており、その際、ケーシングの射出成形物質を、前記結束体上に直接に塗布できるようにした。この場合結束体は、有利には、接続線材の案内する方向に配置された少なくとも２つの巻線から成っており、該巻線は重なり合って撚られている。シートはこの場合、有利な形式で、ポリテトラフルオロエチレン（ＰＴＦＥ）またはポリイミド（ＰＩ）から製作され得る。
【０００５】
本発明の特に有利な実施形態では、誘導形の構造エレメントは誘導形のセンサであって、このセンサにはコイルが磁心に取り付けられており、磁心である１つの極ピンにおける、外側を通過して動く金属部分により生ぜしめられる磁界変化を検出することが可能である。電流レールにより、コイルからの電気信号が、構造エレメントのケーシングに接してかまたはケーシング内に設けられた接触装置の接続部に導かれ得る。
【０００６】
冒頭で述べたように、誘導形の構造エレメント内の温度ストレスは、異なる膨張により、特にケーシングのプラスチック射出成形被覆部とコイル・線材・電流レール装置との異なる線膨張係数に基づいて生ぜしめられる。本発明により一緒に撚り込まれたシートは、巻線結束体の回りに保護を構成し、この保護は線材の事前損傷を減少させるばかりか、それを防止して、それと同時にコイル線材を、射出成形による事前負荷に対して保護する。その他、保護は、適当な材料選択によって、温度に基づく膨張時においても接続線材と射出成形部との間に、幾分かの遊びと滑り能力とを保証する。
【０００７】
誘導形の構造エレメントを製作するための有利な方法によれば、コイルの接続線材が、結束体の撚り線を製作するために、心棒に巻き付けられる。その際、２つの個々の線材の間に、簡単な形式でシートを入れて良く、その後で接続線材の結束体が、シートを巻き込みながら撚られることが可能である。
【０００８】
本発明の有利な変化実施例のこれらの特徴とその他の特徴とは、請求項の他に、明細書及び図面からも明らかである。その際、個々の特徴は、それぞれ単独にも、あるいは組み合わされた形で複数ででも、本発明及び他の分野の実施形態において実現することが可能であって、かつ、有利であって保護するに値する構成を形成することができ、これらの構成について本明細書では保護を請求する。
【０００９】
実施例の説明
本発明による誘導形の構造エレメントの１実施例を図面によって説明する。
【００１０】
図１には、回転数センサ１が示されており、回転数センサ１は、射出成形法で製作されたケーシング２を有している。ケーシング２内には、コイル３があり、かつ、２つの電流レール４が接続されており、その際、図１においては１つの電流レールが見えるのみである。電流レール４の端部は接触装置５に接続されており、この接触装置には、外方に向かって通じているケーブル６が接続可能である。回転数センサ１を例えば車両ケーシングに機械的に固定するために、ケーシング２に、フランジ状の突起２ａが設けられている。
【００１１】
電流レール４の、コイル側の端部は、ここにコイル３の接続線材７が確実にコンタクトし得るように、形成されている。この接続線材７の構成は、図１においては概略的に示されているにすぎない。以下の図面を参照しながら、シートとともに撚られて結束した接続線材７の本発明による構成を説明する。コイル３内には、下方に向かって、つまりその回転運動を検出しようとしている歯車（図示せず）またはその他の回転体に向かって、いわゆる極ピンとして働いている磁心が取り付けられており、磁心はコイル３を通って貫通しており、さらに、回転体はこの場合特に導磁性の材料から成っていて、かつコイル３内において、それ自体としては公知の形式で測定信号が生ぜしめられる。コイル体全体は、有利にはプラスチック射出成形法で製作され、かつ、磁心もしくは極ピンはその際にプラスチックにより取り囲まれる。
【００１２】
図２には、シート８、例えばＰＴＦＥあるいはＰＩから成るシート８の断面図が示されており、このシートが、いわゆる「巻き心棒（Ｗｉｃｋｅｌｄｏｒｎ）」９，１０上に刺し通されているのは、後に接続線材７と共に巻線結束体（Ｗｉｃｋｅｌｖｅｒｂｕｎｄ）の一部分となるためであって、接続線材７が、心棒９，１０の周囲に張り巡らされる。図３には開始状態が示されており、この場合、線材７の数に応じて種々異なる状態が可能である。その際、シート８は、結束体内における全く特別な領域を保護するために、線材７の個々の巻線層の間に配置されても良い。この場合、シート８の幅及び厚さは、製作装置と、コイル体３における幾何学的な可能性とに合わせられるべきである。
【００１３】
シート８の役割は、接続線材７、もしくは図４に示されているように結束体内の線材撚り部全体を、周囲の媒体、つまりここではケーシング２の射出成形物質に対して保護することである。付加的に、シートは、線材７と周囲の媒体との間に、とりわけ使用される材料が種々異なる線膨張係数を有している場合に必要となるある程度の遊びを保証する。
【００１４】
ここで例として３重にして撚られた線材結束体の製作は、次のように行われる。まず最初に、撚る前に、線材７がシート８と共に積み重ねられる（図２および図３）。次いで、線材７がシート８と一緒に撚られるが、図４には、撚り結束体が、図示上の理由から、シート８なしに示されている。シート８は、撚る時に線材７の間に締め込まれて、もはや滑り動くことはない。
【００１５】
図４に示した撚り結束体の断面１１が、図５において改めて、結束体内のシート８の状態と共に示されている。この図により、結束部全体の保護がいかに達成されるかは明らかである。その際、シート８の幅は、結束体が完全に取り囲まれるように選択されるべきである。線材７の小さな部分が、シート８によって完全には被覆されなかったとしても、シート８は、撚り結束体が周囲の媒体により形状接続及び摩擦接続的で不動に固定されることを防止する。
【図面の簡単な説明】
【図１】
コイルを備えた誘導形の構造エレメントとしての回転数センサの断面図である。
【図２】
撚り線加工前の、コイルの接続線材の、シートを有する巻線の詳細図である。
【図３】
中間に位置するシートを備えた、コイルの３つの巻線の詳細図である。
【図４】
既に撚られた３つの巻線の詳細図である。
【図５】
図４に示した、撚られた巻線の断面図である。
【国際公開パンフレット】
2004518975.tif 000003
2004518975.tif 000004
2004518975.tif 000005
2004518975.tif 000006
2004518975.tif 000007
2004518975.tif 000008
2004518975.tif 000009
2004518975.tif 000010
2004518975.tif 000011
2004518975.tif 000012
2004518975.tif 000013
2004518975.tif 000014
【国際調査報告】
2004518975.tif 000015
2004518975.tif 000016
2004518975.tif 000017
2004518975.tif 000018